(57)【要約】【課題】各種作業機のシャーシフレーム（エンジンルームフレーム９１または脱穀装置５の機筐）などに排気ガス浄化装置７４を多面的（多方向）に連結でき、機械振動などに対して排気ガス浄化装置７４の耐震強度を向上できるようにした作業機搭載用エンジン装置を提供しようとするものである。【解決手段】ディーゼルエンジン１４の排気ガスを処理する排気ガス浄化装置７４を備え、ディーゼルエンジン１４の排気管に排気ガス浄化装置７４の排気ガス取入れ口８１を接続させるエンジン装置において、排気ガス浄化装置７４の外側面のうち同一円周上に、複数の支持ブラケット体１１４，１４１を放射状に突設させたものである。【選択図】図６
2014025392.tif 000002
【特許請求の範囲】
【請求項１】
ディーゼルエンジンの排気ガスを処理する排気ガス浄化装置を備え、前記ディーゼルエンジンの排気管に前記排気ガス浄化装置の排気ガス取入れ口を接続させる作業機搭載用エンジン装置において、
前記排気ガス浄化装置の外側面のうち同一円周上に、複数の支持ブラケット体を放射状に突設させたことを特徴とする作業機搭載用エンジン装置。
【請求項２】
前記排気ガス浄化装置の前後方向の移動を規制する支持ブラケット体と、前記排気ガス浄化装置の左右方向の移動を規制する支持ブラケット体を備え、前記ディーゼルエンジンが配置された機枠または隣接する作業部の機枠に、前記各支持ブラケット体を介して前記排気ガス浄化装置を縦置き姿勢に支持するように構成したことを特徴とする請求項１に記載の作業機搭載用エンジン装置。
【請求項３】
排気ガスが下端側から上端側に向けて移動する縦置き姿勢に前記排気ガス浄化装置を設けると共に、前記排気ガス浄化装置の外側面のうちこの略同一高さ位置に、複数の支持ブラケット体としての前面支持ブラケットと側面支持ブラケットを配置し、前記前面支持ブラケットにて前記排気ガス浄化装置の主に前後方向の移動を規制し、前記側面支持ブラケットにて前記排気ガス浄化装置の主に左右方向の移動を規制可能に構成したことを特徴とする請求項１に記載の作業機搭載用エンジン装置。
【請求項４】
前記ディーゼルエンジンを搭載した走行機体と、圃場の穀稈を刈取る刈取装置と、刈取った穀稈を脱穀する脱穀装置と、穀粒を取出す穀物タンクを備え、前記走行機体にエンジンルームフレームを立設し、前記エンジンルームフレームによってエンジンルームを形成し、前記エンジンルーム内に前記ディーゼルエンジンが配置される構造であって、前記エンジンルームフレームの外側に前記支持ブラケット体を介して前記排気ガス浄化装置を縦置き姿勢に配置させると共に、前記排気ガス浄化装置の外側面のうちこの上端側にセンサブラケットの基端側を固着させ、前記排気ガス浄化装置から外側方に向けて突設させた前記センサブラケットの先端側に前記排気ガス浄化装置の差圧センサを配置したことを特徴とする請求項１に記載の作業機搭載用エンジン装置。
【発明の詳細な説明】
【技術分野】
【０００１】
本発明は、圃場に植立した穀稈を刈取って穀粒を収集するコンバイン、又は飼料用穀稈を刈取って飼料として収集する飼料コンバイン等の作業機搭載用エンジン装置に係り、より詳しくは、エンジンが排出する排気ガスを浄化する排気ガス浄化装置が備えられたコンバインなどに搭載する作業機搭載用エンジン装置に関するものである。
【背景技術】
【０００２】
従来、作業機としてのコンバインは、エンジンを搭載した走行機体を備え、走行機体に左右一対の走行クローラを装設し、左右一対の走行クローラを駆動制御して圃場等を移動するように構成している。また、コンバインは、圃場に植立した未刈り穀稈の株元を刈刃装置によって切断し、穀稈搬送手段としての穀稈搬送装置によって脱穀装置にその穀稈を搬送し、脱穀装置によってその穀稈を脱穀して、穀粒を収集するように構成している。また、従来、排気ガスを浄化する排気ガス浄化装置がエンジンの上面に配置され、エンジンから排気ガス浄化装置に向けて排気ガスを排出するように構成していた（例えば、特許文献１参照）。
【先行技術文献】
【特許文献】
【０００３】
【特許文献１】特開２０１０−２０９８１３号公報
【発明の概要】
【発明が解決しようとする課題】
【０００４】
前記従来技術は、エンジンルーム内に、エンジンと排気ガス浄化装置を設置しているから、エンジンルーム内に排気ガス浄化装置の設置スペースを確保する必要があり、エンジンルーム容積または排気ガス浄化装置容積が制限される等の問題がある。また、貨物自動車のように、エンジンから離れた位置の走行機体に排気ガス浄化装置を設置する構造では、排気ガス浄化装置の設置スペースを容易に確保できるが、排気ガス浄化装置内の排気ガス温度が所定温度以下に低下して、自己再生能力が低減し易い等の問題がある。
【０００５】
そこで、本願発明は、これらの現状を検討して改善を施した作業機搭載用エンジン装置を提供しようとするものである。
【課題を解決するための手段】
【０００６】
前記目的を達成するため、請求項１に係る発明の作業機搭載用エンジン装置は、ディーゼルエンジンの排気ガスを処理する排気ガス浄化装置を備え、前記ディーゼルエンジンの排気管に前記排気ガス浄化装置の排気ガス取入れ口を接続させる作業機搭載用エンジン装置において、前記排気ガス浄化装置の外側面のうち同一円周上に、複数の支持ブラケット体を放射状に突設させたものである。
【０００７】
また、請求項２に係る発明は、請求項１に記載の作業機搭載用エンジン装置において、前記排気ガス浄化装置の前後方向の移動を規制する支持ブラケット体と、前記排気ガス浄化装置の左右方向の移動を規制する支持ブラケット体を備え、前記ディーゼルエンジンが配置された機枠または隣接する作業部の機枠に、前記各支持ブラケット体を介して前記排気ガス浄化装置を縦置き姿勢に支持するように構成したものである。
【０００８】
請求項３に記載の発明は、請求項１に記載の作業機搭載用エンジン装置において、排気ガスが下端側から上端側に向けて移動する縦置き姿勢に前記排気ガス浄化装置を設けると共に、前記排気ガス浄化装置の外側面のうちこの略同一高さ位置に、複数の支持ブラケット体としての前面支持ブラケットと側面支持ブラケットを配置し、前記前面支持ブラケットにて前記排気ガス浄化装置の主に前後方向の移動を規制し、前記側面支持ブラケットにて前記排気ガス浄化装置の主に左右方向の移動を規制可能に構成したものである。
【０００９】
請求項４に記載の発明は、請求項１に記載の作業機搭載用エンジン装置において、前記ディーゼルエンジンを搭載した走行機体と、圃場の穀稈を刈取る刈取装置と、刈取った穀稈を脱穀する脱穀装置と、穀粒を取出す穀物タンクを備え、前記走行機体にエンジンルームフレームを立設し、前記エンジンルームフレームによってエンジンルームを形成し、前記エンジンルーム内に前記ディーゼルエンジンが配置される構造であって、前記エンジンルームフレームの外側に前記支持ブラケット体を介して前記排気ガス浄化装置を縦置き姿勢に配置させると共に、前記排気ガス浄化装置の外側面のうちこの上端側にセンサブラケットの基端側を固着させ、前記排気ガス浄化装置から外側方に向けて突設させた前記センサブラケットの先端側に前記排気ガス浄化装置の差圧センサを配置したものである。
【発明の効果】
【００１０】
請求項１に係る発明によれば、ディーゼルエンジンの排気ガスを処理する排気ガス浄化装置を備え、前記ディーゼルエンジンの排気管に前記排気ガス浄化装置の排気ガス取入れ口を接続させる作業機搭載用エンジン装置において、前記排気ガス浄化装置の外側面のうち同一円周上に、複数の支持ブラケット体を放射状に突設させたものであるから、前記各支持ブラケット体を介して、各種作業機のシャーシフレームなどに前記排気ガス浄化装置を多面的（多方向）に連結でき、機械振動などに対して前記排気ガス浄化装置の耐震強度を向上できる。前記ディーゼルエンジンに対して離間した前記シャーシフレームなどに前記排気ガス浄化装置を高剛性に支持できる。前記排気ガス浄化装置の支持構造を簡略化でき、低コストに構成できる。
【００１１】
請求項２に係る発明によれば、前記排気ガス浄化装置の前後方向の移動を規制する支持ブラケット体と、前記排気ガス浄化装置の左右方向の移動を規制する支持ブラケット体を備え、前記ディーゼルエンジンが配置された機枠または隣接する作業部の機枠に、前記各支持ブラケット体を介して前記排気ガス浄化装置を縦置き姿勢に支持するように構成したものであるから、前記排気ガス浄化装置の耐震性を高めて高剛性に支持できるものでありながら、前記ディーゼルエンジンと作業部の間に形成されるスペースを利用して、前記排気ガス浄化装置をコンパクトに配置できる。
【００１２】
請求項３に係る発明によれば、排気ガスが下端側から上端側に向けて移動する縦置き姿勢に前記排気ガス浄化装置を設けると共に、前記排気ガス浄化装置の外側面のうちこの略同一高さ位置に、複数の支持ブラケット体としての前面支持ブラケットと側面支持ブラケットを配置し、前記前面支持ブラケットにて前記排気ガス浄化装置の主に前後方向の移動を規制し、前記側面支持ブラケットにて前記排気ガス浄化装置の主に左右方向の移動を規制可能に構成したものであるから、前記排気ガス浄化装置の下端側に前記排気ガス取入れ口を配置し、かつ前記排気ガス浄化装置の上端側に排気ガス排出口を配置する縦置き姿勢に、前記排気ガス浄化装置を高剛性に支持できる。また、前記ディーゼルエンジンの排気マニホールドに近接させた位置で、その排気マニホールドよりも高位置に、前記排気ガス浄化装置をコンパクトに配置できると共に、前記ディーゼルエンジンと周辺機器（前記排気ガス浄化装置など）の組付け作業性などを向上できる。
【００１３】
請求項４に係る発明によれば、前記ディーゼルエンジンを搭載した走行機体と、圃場の穀稈を刈取る刈取装置と、刈取った穀稈を脱穀する脱穀装置と、穀粒を取出す穀物タンクを備え、前記走行機体にエンジンルームフレームを立設し、前記エンジンルームフレームによってエンジンルームを形成し、前記エンジンルーム内に前記ディーゼルエンジンが配置される構造であって、前記エンジンルームフレームの外側に前記支持ブラケット体を介して前記排気ガス浄化装置を縦置き姿勢に配置させると共に、前記排気ガス浄化装置の外側面のうちこの上端側にセンサブラケットの基端側を固着させ、前記排気ガス浄化装置から外側方に向けて突設させた前記センサブラケットの先端側に前記排気ガス浄化装置の差圧センサを配置したものであるから、前記エンジンルーム内に前記排気ガス浄化装置の設置スペースを確保する必要がなく、前記エンジンルーム容積または前記排気ガス浄化装置容積が制限されないものでありながら、前記エンジンに近接させて前記排気ガス浄化装置を支持できる。また、前記排気ガス浄化装置の高温部に対して前記差圧センサを離間させて配置できる。前記差圧センサに対する前記排気ガス浄化装置の温度影響を低減でき、低コストに構成できる。前記差圧センサなどに対する電気配線も簡略化できる。
【図面の簡単な説明】
【００１４】
【図１】本発明の実施形態の６条刈り用コンバインの左側面図である。
【図２】同平面図である。
【図３】同右側面図である。
【図４】排気ガス浄化装置部の背面視斜視図である。
【図５】同正面視斜視図である。
【図６】同平面説明図である。
【図７】図４の拡大説明図である。
【図８】エンジンと排気ガス浄化装置の斜視図である。
【発明を実施するための形態】
【００１５】
以下に、本発明を具体化した実施形態を図面に基づいて説明する。図１〜図３を参照して、ディーゼルエンジンが搭載された作業機としてのコンバインの全体構造について説明する。なお、以下の説明では、走行機体１の前進方向に向かって左側を単に左側と称し、同じく前進方向に向かって右側を単に右側と称する。図１〜図３に示す如く、走行部としての左右一対の走行クローラ２にて支持された走行機体１を備える。走行機体１の前部には、穀稈を刈取りながら取込む６条刈り用の刈取装置３が、単動式の昇降用油圧シリンダ４によって刈取回動支点軸４ａ回りに昇降調節可能に装着される。走行機体１には、フィードチェン６を有する脱穀装置５と、該脱穀装置５から取出された穀粒を貯留する穀物タンク７とが横並び状に搭載される。なお、脱穀装置５が走行機体１の前進方向左側に、穀物タンク７が走行機体１の前進方向右側に配置される。
【００１６】
また、走行機体１の後部に旋回可能な排出オーガ８が設けられ、穀物タンク７の内部の穀粒が、排出オーガ８の籾投げ口９からトラックの荷台またはコンテナ等に排出されるように構成されている。刈取装置３の右側方で、穀物タンク７の前側方には、運転キャビン１０が設けられている。運転キャビン１０の前面下部にキャビン回動支点軸１０ａを設け、キャビン回動支点軸１０ａを介して走行機体１に運転キャビン１０の前面下部を回動可能に軸支し、機外側方に向けて運転キャビン１０を移動可能に設置し、キャビン回動支点軸１０ａ回りに運転キャビン１０を前方に向けて回動させるように構成している。
【００１７】
運転キャビン１０内には、操縦ハンドル１１と、運転座席１２と、主変速レバー１５と、副変速スイッチ１６と、脱穀クラッチ及び刈取クラッチを入り切り操作する作業クラッチレバー１７とを配置している。運転座席１２の下方の走行機体１には、動力源としてのディーゼルエンジン１４が配置されている。なお、運転キャビン１０には、オペレータが搭乗するステップと、操縦ハンドル１１を設けたハンドルコラムと、前記各レバー１５，１７及びスイッチ１６等を設けたレバーコラムとが配置されている。
【００１８】
図１に示す如く、走行機体１の下面側に左右のトラックフレーム２１を配置している。トラックフレーム２１には、走行クローラ２にエンジン１４の動力を伝える駆動スプロケット２２と、走行クローラ２のテンションを維持するテンションローラ２３と、走行クローラ２の接地側を接地状態に保持する複数のトラックローラ２４と、走行クローラ２の非接地側を保持する中間ローラ２５とを設けている。駆動スプロケット２２によって走行クローラ２の前側を支持し、テンションローラ２３によって走行クローラ２の後側を支持し、トラックローラ２４によって走行クローラ２の接地側を支持し、中間ローラ２５によって走行クローラ２の非接地側を支持する。
【００１９】
図１、図２に示す如く、刈取装置３の刈取回動支点軸４ａに連結した刈取フレーム５１の下方には、圃場に植立した未刈り穀稈（穀稈）の株元を切断するバリカン式の刈刃装置５２が設けられている。刈取フレーム５１の前方には、圃場に植立した未刈り穀稈を引起す６条分の穀稈引起装置５３が配置されている。穀稈引起装置５３とフィードチェン６の前端部（送り始端側）との間には、刈刃装置５２によって刈取られた刈取り穀稈を搬送する穀稈搬送装置５４が配置される。なお、穀稈引起装置５３の下部前方には、未刈り穀稈を分草する６条分の分草体５５が突設されている。圃場内を移動しながら、刈取装置３によって圃場に植立した未刈り穀稈を連続的に刈取る。
【００２０】
次に、図１及び図２を参照して、脱穀装置５の構造を説明する。図１及び図２に示す如く、脱穀装置５には、穀稈脱穀用の扱胴５６と、扱胴５６の下方に落下する脱粒物を選別する揺動選別盤５７及び唐箕ファン５８と、扱胴５６の後部から取出される脱穀排出物を再処理する処理胴５９と、揺動選別盤５７の後部の排塵を排出する排塵ファン６０を備えている。なお、刈取装置３から穀稈搬送装置５４によって搬送された穀稈は、フィードチェン６に受継がれて、脱穀装置５に搬入されて扱胴５６にて脱穀される。
【００２１】
図１に示す如く、揺動選別盤５７の下方側には、揺動選別盤５７にて選別された穀粒（一番物）を取出す一番コンベヤ６１と、枝梗付き穀粒等の二番物を取出す二番コンベヤ６２とが設けられている。揺動選別盤５７は、扱胴５６の下方に張設された受網６７から漏下した脱穀物が、フィードパン６８及びチャフシーブ６９によって揺動選別（比重選別）されるように構成している。揺動選別盤５７から落下した穀粒は、その穀粒中の粉塵が唐箕ファン５８からの選別風によって除去され、一番コンベヤ６１に落下する。一番コンベヤ６１から取出された穀粒は、揚穀コンベヤ６３を介して穀物タンク７に搬入され、穀物タンク７に収集される。
【００２２】
また、図１に示す如く、揺動選別盤２２７は、揺動選別によってチャフシーブ６９から枝梗付き穀粒等の二番物を二番コンベヤ６２に落下させるように構成している。チャフシーブ６９の下方に落下する二番物を風選する選別ファン７１を備える。チャフシーブ６９から落下した二番物は、その穀粒中の粉塵及び藁屑が選別ファン７１からの選別風によって除去され、二番コンベヤ６２に落下する。二番コンベヤ６２の終端部は、還元コンベヤ６６を介して、フィードパン６８の後部の上面側に連通接続され、二番物を揺動選別盤６７の上面側に戻して再選別するように構成している。
【００２３】
一方、図１及び図２に示す如く、フィードチェン６の後端側（送り終端側）には、排藁チェン６４と排藁カッタ６５が配置されている。フィードチェン６の後端側から排藁チェン６４に受継がれた排藁（穀粒が脱粒された稈）は、長い状態で走行機体１の後方に排出されるか、又は脱穀装置５の後部に設けられた排藁カッタ６５にて適宜長さに短く切断されたのち、走行機体１の後方下方に排出される。
【００２４】
次に、図４〜図８を参照して、連続再生式の排気ガス浄化装置７４（ディーゼルパティキュレートフィルタ）としての排気ガス浄化ケース７５並びにその取付け構造について説明する。図６〜図８に示す如く、排気ガス浄化装置７４は、ディーゼルエンジン１４の排気ガスを導入する連続再生式の排気ガス浄化ケース７５を備えている。排気ガス浄化ケース７５は、入口側ケース７６と、出口側ケース７７を有する。入口側ケース７６と出口側ケース７７の内部に、二酸化窒素（ＮＯ２）を生成する白金等のディーゼル酸化触媒７９（ガス浄化体）と、捕集した粒子状物質（ＰＭ）を比較的低温で連続的に酸化除去するハニカム構造のスートフィルタ８０（ガス浄化体）とを、排気ガスの移動方向（図７の下側から上側）に直列に並べている。入口側ケース７６と出口側ケース７７内のディーゼル酸化触媒７９とスートフィルタ８０によって、ディーゼルエンジン１の排気ガス中の粒子状物質（ＰＭ）の除去に加え、排気ガス中の一酸化炭素（ＣＯ）や炭化水素（ＨＣ）を低減するように構成している。
【００２５】
また、図６〜図８に示す如く、入口側ケース７６に排気ガス入口管としての浄化入口管８１を溶接固定すると共に、消音器ケース７８に排気ガス出口管としての浄化出口管８２を溶接固定する。排気管としてのテールパイプ８３に浄化出口管８２を接続している。ディーゼルエンジン１４の排気ガスが浄化入口管８１から排気ガス浄化ケース７５内に導入され、排気ガス浄化ケース７５内の排気ガスが、浄化出口管８２からテールパイプ８３に排出され、機外に放出されるように構成している。なお、入口側ケース７６と出口側ケース７７は、複数組の厚板状中間フランジ体８４と複数本のボルト８５にて着脱可能に締結されている。
【００２６】
上記の構成により、ディーゼル酸化触媒７９の酸化作用によって生成された二酸化窒素（ＮＯ２）が、スートフィルタ８０内に一側端面（取入れ側端面）から供給される。ディーゼルエンジン１４の排気ガス中に含まれた粒子状物質（ＰＭ）は、スートフィルタ８０に捕集されて、二酸化窒素（ＮＯ２）によって連続的に酸化除去される。ディーゼルエンジン１４の排気ガス中の粒状物質（ＰＭ）の除去に加え、ディーゼルエンジン１４の排気ガス中の一酸化炭素（ＣＯ）や炭化水素（ＨＣ）の含有量が低減される。
【００２７】
次いで、図４〜図７に示す如く、走行機体１上にエンジンルームフレーム９１を立設し、走行機体１上面側に載置したディーゼルエンジン１４の後面側をエンジンルームフレーム９１にて囲む。エンジンルームフレーム９１は、左の角パイプ状支柱体９２と、右の角パイプ状支柱体９３と、左右の支柱体９２，９３に両端側を一体的に溶接固着する角パイプ状横フレーム９４を有する。また、運転キャビン１０の底面後部にゴム製の圧接脚体（図示省略）を設け、横フレーム９４の左右の受け台９６上面に上方側から運転キャビン１０底部の圧接脚体を当接し、横フレーム９４の各受け台９６に運転キャビン１０の後部を上下動可能に支持している。運転キャビン１０底面側とエンジンルームフレーム９１にて形成されるエンジンルーム９７にディーゼルエンジン１４を設置している。
【００２８】
さらに、横フレーム９４に浄化ケース支持体１１１を一体的に溶接固着している。また、排気ガス浄化ケース７５のうち入口側ケース７６の外側面に前面支持ブラケット１１４を一体的に溶接固着している。浄化ケース支持体１１１に前面支持ブラケット１１４の前部を後側方から嵌着させ、浄化ケース支持体１１１の側面と前面支持ブラケット１１４に左右方向から螺着操作するボルト１１６によって、浄化ケース支持体１１１に前面支持ブラケット１１４を着脱可能に締結している。
【００２９】
即ち、キャビン１０の下方側にエンジンルーム９７を形成すると共に、走行機体１の前方上方（機外側方）に向けてキャビン１０を移動可能に設置し、キャビン１０を支持する受け台９６と、排気ガス浄化ケース７５を支持する浄化ケース支持体１１１とを、エンジンルームフレーム９１の同一部位（横フレーム９４）に配置し、排気ガス浄化ケース７５に対してキャビン１０を接離可能に構成している。また、キャビン１０背面に設置された空調用ファン１１５の空気排出部に排気ガス浄化ケース７５が配置されている。
【００３０】
さらに、図５〜図８に示す如く、排気ガス浄化ケース７５のうち入口側ケース７６の外側面に側面支持ブラケット１４１を一体的に溶接固着している。入口側ケース７６の外側面のうち同一円周上に、前面支持ブラケット１１４と側面支持ブラケット１４１を放射状に配置する。側面支持ブラケット１４１に組付け調節板１４２の一端側を位置調節可能に締結すると共に、脱穀装置５の機筐フレーム１４４右側面に本機側支持ブラケット１４３を締結し、組付け調節板１４２の他端側に本機側支持ブラケット１４３を締結する。組付け調節板１４２を介して位置調節可能に側面支持ブラケット１４１と本機側支持ブラケット１４３を連結固定させる。浄化ケース支持体１１１の側面と脱穀装置５の右側が側面支持ブラケット１４１を介して着脱可能に連結されている。
【００３１】
即ち、図５〜図８に示す如く、エンジンルームフレーム９１に入口側ケース７６を介して排気ガス浄化ケース７５の中間部が縦置き姿勢に固着されている。また、排気ガス浄化ケース７５下端側の排気ガス供給側のうち、排気ガス浄化ケース７５の前側面に浄化入口管８１を横前向き姿勢に設け、エンジン１４上面側（機体前方）に向けて浄化入口管８１を延設している。出力軸１１２を左右方向に向けて走行機体１に搭載したエンジン１４の前面側上部に、排気マニホールド１１７と過給機１１８を配置している。浄化入口管８１に折曲可能な蛇腹状管９８を介して排気連結管１１９の一端側を連結する一方、過給機１１８の排気出口管９９に排気連結管１１９の他端側を連結している。
【００３２】
また、排気マニホールド１１７に過給機１１８と排気連結管１１９を介して排気ガス浄化ケース７５が連通接続される。図４に示す如く、脱穀装置５の右側方において、穀物タンク７の前面とキャビン１０の後面との間に形成されるスペースに、上下方向に長い円筒形状（縦置き姿勢）の排気ガス浄化ケース７５を配置し、排気マニホールド１１７、過給機１１８、排気連結管１１９を介して、エンジン１４の排気ガスを排気ガス浄化ケース７５に導入するように構成している。また、脱穀装置５と穀物タンク７間の上面側で後側方に向けてテールパイプ８３から排気ガスを排出させるように構成している。
【００３３】
一方、図４、図５、図７に示す如く、脱穀装置５の上面側に排気支持ブラケット１４７を固着し、排気支持ブラケット１４７にパイプ支持体１４８の下端側を締結している。起立状に立設させるパイプ支持体１４８の上端側に、浄化出口管８２とテールパイプ８３の接続部の下面側を固着させる。排気支持ブラケット１４７とパイプ支持体１４８を介して、浄化出口管８２とテールパイプ８３の接続部が脱穀装置５の上面側に支持されている。なお、小径側の浄化出口管８２と大径側のテールパイプ８３の接続部に隙間が形成されるもので、浄化出口管８２からの排気ガスに外気を混合して、排気温度が低下した排気ガスを、テールパイプ８３から排出させるように構成している。
【００３４】
図４〜図８に示す如く、排気ガス浄化ケース７５のうち出口側ケース７７に、複数組の厚板状上端フランジ体８６を介して出口側蓋体７８を着脱可能に締結固定している。出口側ケース７７の外周方向に放射状に突設する厚板状上端フランジ体８６の一端側に、横台ブラケット８７と縦台ブラケット８８と支持台ブラケット８９を介して、浄化出口管８２の中間部を着脱可能に連結させ、出口側ケース７７に浄化出口管８２を支持している。さらに、図７、図８に示す如く、排気ガス浄化装置７４の外側面のうちこの下端側にドレン口１３３を設けている。したがって、排気ガス浄化装置７４の内部に発生する結露水などをドレン口１３３から簡単に排出でき、排気ガス浄化装置７４内部の構成部品が錆びて腐食するのを低減でき、排気ガス浄化装置７４の耐久性を向上できる。
【００３５】
一方、図６、図７に示す如く、排気ガス浄化装置７４の外側面のうちこの上端側に吊下げ金具体１３４を設けている。したがって、前記コンバインの組立工場などにおいて、例えばチェンブロックまたはホイストなどの荷役吊下げ装置のフックに吊下げ金具体１３４を係止させ、前記チェンブロックなどに吊下げ金具体１３４を介して排気ガス浄化装置７４を吊下げることができ、重い排気ガス浄化装置７４を容易に運搬移動できる。排気ガス浄化装置７４の組付けまたは取外し等の作業を簡単に実行でき、排気ガス浄化装置７４の着脱作業性を向上できる。なお、厚板状上端フランジ体８６の一部として吊下げ金具体１３４を一体的に形成している。
【００３６】
また、出口側ケース７７の外周方向に放射状に突設する厚板状上端フランジ体８６の他端側にセンサブラケット１２１をボルト締結して、排気ガス浄化ケース７５上端側の外面側にセンサブラケット１２１を配置させる。電気配線コネクタを一体的に設けた差圧センサ１２２が、排気ガス浄化ケース７５から横向きに突設させたセンサブラケット１２１の平坦な上面に取付けられる。排気ガス浄化ケース７５の外側面にセンサブラケット１２１を介して差圧センサ１２２が配置される。なお、差圧センサ１２２には、図示しない上流側センサ配管と下流側センサ配管の一端側がそれぞれ接続される。排気ガス浄化ケース７５内のスートフィルタ８０を挟むように、排気ガス浄化ケース７５に配置された上流側と下流側の各センサ配管ボス体１２５，１２６に、上流側と下流側の前記各センサ配管の他端側がそれぞれ接続される。
【００３７】
上記の構成により、スートフィルタ８０の流入側の排気ガス圧力と、スートフィルタ８０の流出側の排気ガス圧力の差（排気ガスの差圧）が、差圧センサ１２２を介して検出される。スートフィルタ８０に捕集された排気ガス中の粒子状物質の残留量が排気ガスの差圧に比例するから、スートフィルタ８０に残留する粒子状物質の量が所定以上に増加したときに、差圧センサ１２２の検出結果に基づき、スートフィルタ８０の粒子状物質量を減少させる再生制御（例えば排気温度を上昇させる制御）が実行される。また、再生制御可能範囲以上に、粒子状物質の残留量がさらに増加したときには、排気ガス浄化ケース７５を着脱分解して、スートフィルタ８０を掃除し、粒子状物質を人為的に除去するメンテナンス作業が行われる。
【００３８】
また、差圧センサ１２２の外側ケース部に電気配線コネクタ１２７を一体的に設けると共に、ディーゼル酸化触媒７６の排気ガス取入れ側の排気温度を検出する上流側ガス温度センサ１２８と、ディーゼル酸化触媒７６の排気ガス排出側の排気温度を検出する下流側ガス温度センサ１３０を備える。上流側ガス温度センサ１２８の電気配線コネクタ１２９と、下流側ガス温度センサ１３０の電気配線コネクタ１３１を、センサブラケット１２１に固着する。
【００３９】
即ち、排出オーガ８を支持する取出しコンベヤ８ａに穀物タンク７の後部を支持し、穀物タンク７回りに穀物タンク７の前側を水平回動させ、機外側方に向けて穀物タンク７を移動可能に設けた構造において、エンジンルームフレーム９１と穀物タンク７の間に排気ガス浄化ケース７５を配置している。空調用ファン１１５の排気側に対向配置された排気ガス浄化ケース７５の上側面に、支持ブラケット１２１を介して、排気ガス用差圧センサ１２２と、排気温度センサ用コネクタとしての電気配線コネクタ１２９，１３１とが配置されている。
【００４０】
また、差圧センサ１２２の電気配線コネクタ１２７と、上流側ガス温度センサ１２８の電気配線コネクタ１２９と、下流側ガス温度センサ１３０の電気配線コネクタ１３１の各接続方向を同一方向に向けた姿勢で、前記各コネクタ１２７，１２９，１３１を支持している。したがって、空調用ファン１１５の排気によって、差圧センサ１２２または各コネクタ１２７，１２９，１３１の配線などを冷却できる。排気ガス浄化ケース７５側の排気熱によって、それらが焼損するのを防止でき、かつそれらの耐久性を向上できる。
【００４１】
図１、図４〜図８に示す如く、ディーゼルエンジン１４の排気ガスを処理する排気ガス浄化装置７４を備え、ディーゼルエンジン１４の排気管に排気ガス浄化装置７４の排気ガス取入れ口としての浄化入口管８１を接続させる作業機搭載用エンジン装置において、排気ガス浄化装置７４を縦置き姿勢に設け、排気ガス浄化装置７４の下端側に浄化入口管８１を配置し、排気ガス浄化装置７４の上端側に排気ガス排出口としての浄化出口管８２を配置している。したがって、従来の横置き姿勢に比べ、排気ガス浄化装置７４の平面設置スペースを狭少に形成できる。ディーゼルエンジン１４の排気マニホールド１１７に近接させた位置で、その排気マニホールド１１７よりも高位置に、排気ガス浄化装置７４をコンパクトに配置できる。ディーゼルエンジン１４と周辺機器（排気ガス浄化装置７４など）のレイアウトを容易に設計できる。また、各種作業機に前記ディーゼルエンジン１４を設置した状態下で、排気ガス浄化装置７４の組付けまたは取外し等の操作を簡単に実行でき、排気ガス浄化装置７４の着脱作業性を向上できる。
【００４２】
図４〜図８に示す如く、排気ガス浄化装置７４の外側面のうちこの上下幅中間に、複数の支持ブラケット体としての前面支持ブラケット１１４または側面支持ブラケット１４１を放射状に突設させると共に、排気ガス浄化装置７４の外側面のうちこの下端側にドレン口１３３を設けている。したがって、機械振動などに対して排気ガス浄化装置７４の支持剛性を向上できるものでありながら、排気ガス浄化装置７４の内部に発生する結露水をドレン口１３３から簡単に排出でき、排気ガス浄化装置７４の耐久性を向上できる。
【００４３】
図４〜図８に示す如く、排気ガス浄化装置７４の外側面のうちこの上下幅中間に、前面支持ブラケット１１４または側面支持ブラケット１４１を放射状に突設させると共に、排気ガス浄化装置７４の外側面のうちこの上端側に吊下げ金具体１３４を設けている。したがって、機械振動などに対して排気ガス浄化装置７４の支持剛性を向上できるものでありながら、例えばチェンブロックなどに吊下げ金具体１３４を介して排気ガス浄化装置７４を吊下げて組付けまたは取外し等の作業を簡単に実行でき、排気ガス浄化装置７４の着脱作業性を向上できる。
【００４４】
図１、図４〜図８に示す如く、エンジン１４を搭載した走行機体１と、圃場の穀稈を刈取る刈取装置３と、刈取った穀稈を脱穀する脱穀装置５と、穀粒を取出す穀物タンク７を備え、走行機体１にエンジンルームフレーム９１を立設し、エンジンルームフレーム９１によってエンジンルーム９７を形成し、エンジンルーム９７内にエンジン１４が配置される構造において、エンジンルームフレーム９１の外側に排気ガス浄化装置７４を縦置き姿勢に配置し、排気ガス浄化装置７４の下端側にエンジン１４の排気ガスを導入する一方、排気ガス浄化装置７４の上端側にテールパイプ８３を接続させるように構成している。したがって、エンジンルーム９７内に排気ガス浄化装置７４の設置スペースを確保する必要がなく、エンジンルーム９７容積または排気ガス浄化装置７４容積が制限されないものでありながら、エンジン１４に近接させて排気ガス浄化装置７４を支持できる。例えば、エンジンルーム９７と、隣接する作業部（脱穀装置５または穀物タンク７など）の間に、排気ガス浄化装置７４の設置スペースを容易に確保できる。また、縦置き姿勢の排気ガス浄化装置７４下端側の排気ガス導入側をエンジン１４の排気マニホールド１１７に最短距離で接続できると共に、隣接する作業部（脱穀装置５）の高位置にテールパイプ８３を支持でき、テールパイプ８３の支持構造を簡略化できる。
【００４５】
図４〜図８に示す如く、ディーゼルエンジン１４の排気ガスを処理する排気ガス浄化装置７４を備え、ディーゼルエンジン１４の排気管に排気ガス浄化装置７４の排気ガス取入れ口としての浄化入口管８１を接続させるエンジン装置において、排気ガス浄化装置７４の外側面のうち同一円周上に、複数の支持ブラケット体としての前面支持ブラケット１１４及び側面支持ブラケット１４１を放射状に突設させている。したがって、前面支持ブラケット１１４及び側面支持ブラケット１４１を介して、各種作業機のシャーシフレーム（エンジンルームフレーム９１または脱穀装置５の機筐フレーム１４４）などに排気ガス浄化装置７４を多面的（多方向）に連結でき、機械振動などに対して排気ガス浄化装置７４の耐震強度を向上できる。ディーゼルエンジン１４に対して離間したシャーシフレームなどに排気ガス浄化装置７４を高剛性に支持できる。排気ガス浄化装置７４の支持構造を簡略化でき、低コストに構成できる。
【００４６】
図４〜図８に示す如く、排気ガス浄化装置７４の前後方向の移動を規制する支持ブラケット体としての前面支持ブラケット１１４と、排気ガス浄化装置の左右方向の移動を規制する支持ブラケット体としての側面支持ブラケット１４１を備え、ディーゼルエンジン１４が配置された機枠（エンジンルームフレーム９１）または隣接する作業部としての脱穀装置５の機枠（機筐フレーム１４４）に、前面支持ブラケット１１４及び側面支持ブラケット１４１を介して排気ガス浄化装置７４を縦置き姿勢に支持するように構成している。したがって、排気ガス浄化装置７４の耐震性を高めて高剛性に支持できるものでありながら、ディーゼルエンジン１４と作業部の間に形成されるスペースを利用して、排気ガス浄化装置７４をコンパクトに配置できる。
【００４７】
図４〜図８に示す如く、排気ガスが下端側から上端側に向けて移動する縦置き姿勢に排気ガス浄化装置７４を設けると共に、排気ガス浄化装置７４の外側面のうちこの略同一高さ位置に、複数の支持ブラケット体としての前面支持ブラケット１１４と側面支持ブラケット１４１を配置し、前面支持ブラケット１１４にて排気ガス浄化装置７４の主に前後方向の移動を規制し、側面支持ブラケット１４１にて排気ガス浄化装置７４の主に左右方向の移動を規制可能に構成している。したがって、排気ガス浄化装置７４の下端側に浄化入口管８１を配置し、かつ排気ガス浄化装置７４の上端側に排気ガス排出口（浄化出口管８２）を配置する縦置き姿勢に、排気ガス浄化装置７４を高剛性に支持できる。また、ディーゼルエンジン１４の排気マニホールド１１７に近接させた位置で、その排気マニホールド１１７よりも高位置に、排気ガス浄化装置７４をコンパクトに配置できると共に、ディーゼルエンジン１４と周辺機器（排気ガス浄化装置７４など）の組付け作業性などを向上できる。
【００４８】
図１、図４〜図８に示す如く、ディーゼルエンジン１４を搭載した走行機体１と、圃場の穀稈を刈取る刈取装置３と、刈取った穀稈を脱穀する脱穀装置５と、穀粒を取出す穀物タンク７を備え、走行機体１にエンジンルームフレーム９１を立設し、エンジンルームフレーム９１によってエンジンルーム９７を形成し、エンジンルーム９７内に前記ディーゼルエンジン１４が配置される構造であって、エンジンルームフレーム９１の外側に前面支持ブラケット１１４を介して前記排気ガス浄化装置７４を縦置き姿勢に配置させると共に、排気ガス浄化装置７４の外側面のうちこの上端側にセンサブラケット１２１の基端側を固着させ、排気ガス浄化装置７４から外側方に向けて突設させたセンサブラケット１２１の先端側に排気ガス浄化装置７４の差圧センサ１２２を配置している。したがって、エンジンルーム９７内に排気ガス浄化装置７４の設置スペースを確保する必要がなく、エンジンルーム９７容積または前記排気ガス浄化装置７４容積が制限されないものでありながら、ディーゼルエンジン１４に近接させて排気ガス浄化装置７４を支持できる。また、排気ガス浄化装置７４の高温部に対して差圧センサ１２２を離間させて配置できる。差圧センサ１２２に対する排気ガス浄化装置７４の温度影響を低減でき、低コストに構成できる。差圧センサ１２２などに対する電気配線も簡略化できる。
【符号の説明】
【００４９】
１  走行機体
３  刈取装置
５  脱穀装置
７  穀物タンク
１４  ディーゼルエンジン
７４  排気ガス浄化装置
８１  浄化入口管（排気ガス取入れ口）
９１  エンジンルームフレーム
９７  エンジンルーム
１１４  前面支持ブラケット（支持ブラケット体）
１２１  センサブラケット
１２２  差圧センサ
１４１  側面支持ブラケット（支持ブラケット体）
【図１】
2014025392.tif 000003
【図２】
2014025392.tif 000004
【図３】
2014025392.tif 000005
【図４】
2014025392.tif 000006
【図５】
2014025392.tif 000007
【図６】
2014025392.tif 000008
【図７】
2014025392.tif 000009
【図８】
2014025392.tif 000010